(57)【要約】【課題】磁気カードをスライド可能に収容して、磁気カードに触れることなく磁気ストライプを片手で容易に露出させることができ、また、磁気カードが何らかの拍子に脱落することを回避できる磁気カードホルダーを提供する。【解決手段】磁気カードホルダー１を、磁気カード２を収容する内側ホルダ３とこの内側ホルダ３をスライド可能に収容する外側ホルダ４とで構成する。内側ホルダ３によって、磁気カード２を磁気ストライプ２ａを除いた箇所で保持すると共に磁気ストライプ２ａを露出させた状態で収容し、この内側ホルダ３を、自身に形成されたスライド用突起部６を外側ホルダ４に形成された長孔１０に摺動可能に収容することで外側ホルダ４にスライド可能に係合させる。また、内側ホルダ３と外側ホルダ４に磁気カード２の脱落を防止する機構を設ける。【選択図】        図５
2011125538.tif 000002
【特許請求の範囲】
【請求項１】
磁気ストライプを有する磁気カードを収容保持する磁気カードホルダーであって、
前記磁気カードを磁気ストライプを除いた箇所で保持すると共に、前記磁気ストライプを露出させた状態で収容する内側ホルダと、
前記磁気ストライプを被覆・露出させるために前記内側ホルダをスライド可能に収容する外側ホルダとを有し、
前記内側ホルダは、その表面に形成されたスライド用突起部を前記外側ホルダに形成された長孔に摺動可能に収容させることで、前記外側ホルダにスライド可能に係合されており、
前記内側ホルダ及び前記外側ホルダに前記磁気カードの脱落を防止する脱落防止機構を具備することを特徴とする磁気カードホルダー。
【請求項２】
前記内側ホルダに設けられる脱落防止機構は、挿入された前記磁気カードの表面を略垂直方向に押圧する押圧片を複数設けて構成されていることを特徴とする請求項１記載の磁気カードホルダー。
【請求項３】
前記内側ホルダに設けられる脱落防止機構は、前記磁気カードを挿入する空間の厚みを部分的に狭めて前記内側ホルダの対峙する内壁面で前記磁気カードを部分的に挟持するものであることを特徴とする請求項１記載の磁気カードホルダー。
【請求項４】
前記外側ホルダに設けられる脱落防止機構は、前記磁気カードが出入りする開口部に、前記磁気カードの進退によって開閉するシャッタを設けることによって構成されていることを特徴とする請求項１記載の磁気カードホルダー。
【請求項５】
前記内側ホルダの略中央に前記スライド用突起部が突設され、前記押圧片は、前記スライド用突起部の両側にそれぞれ複数設けられていることを特徴とすることを特徴とする請求項１記載の磁気カードホルダー。
【発明の詳細な説明】
【技術分野】
【０００１】
この発明は、磁気ストライプを有する磁気カードを収容保持する磁気カードホルダーに関し、特に、磁気カードをスライド可能に収容して、磁気ストライプを容易に露出させることでカード読み取り装置に読み取らせることができ、また、カードホルダーをぶら下げて用いる場合でも、磁気カードが脱落することを回避するカードホルダーに関する。
【背景技術】
【０００２】
従来、磁気カードを収容するカードホルダーとしては、例えば、下記する特許文献１及び２等に示されるように、軟質塩ビ製やポリプロピレン製の袋状に形成されたホルダ内にカードを収容するものが多用されているが、このような袋状のホルダでは、磁気カードをカードリータに通す都度、ホルダからカードを抜かなければならず、手に荷物をもっている場合等には、大変不便である。
このため、特許文献３及び４等に示されるように、磁気カードを磁気ストライプを除いた箇所で保持し、磁気ストライプ部分の使用を容易にした構成（情報記録カード用ケース、磁気カードの保護ケース）が提案されている。
【０００３】
このうち、特許文献３に示される構成は、、磁気ストライプが常時露出するように情報記録カードを情報記録カード用ケースに収納し、情報記録カードを抜挿するために生じる不便やカード表面の印刷落ちなどを防止するようにしたものである。
【０００４】
また、特許文献４に示される構成は、磁気カードを保持するカード保持体とこのカード保持体に対してスライド自在に設けられた保護カバーとを備え、磁気カードの収納位置において、カード保持体からはみ出している磁気カードの磁気ストライプの部分を保護カバーで覆って保護し、磁気カードの使用位置において、磁気ストライプが露出するように保護カバーをスライドさせるようにしたものである。
【先行技術文献】
【特許文献】
【０００５】
【特許文献１】特開２００５−１７７０６４号公報
【特許文献２】特開２００９−２７４３５５号公報
【特許文献３】特開平６−２４１８６号公報
【特許文献４】特開２００６−３７４号公報
【発明の概要】
【発明が解決しようとする課題】
【０００６】
しかしながら、前者の構成においては、磁気ストライプが露出した状態のままであり、磁気ストライプが傷付きやすい不都合がある。
この点、後者の構成においては、磁気ストライプを保護ケースで保護するようにしているが、この保護ケースはぶら下げて用いることは想定しておらず、磁気カードの２箇所を保持クリップで保持しているだけのものであるため、保持手段としては不十分であり、ぶら下げて使用した場合に、何らかの拍子で磁気カードが脱落することが懸念される。また、カード保持体は、磁気ストライプを保護カバーで覆うように、圧縮バネによって収納方向に付勢されているが、収納位置においては、磁気カードが保護カバーの後方に露出した状態となり、カード保持体を押し出して用いようとする場合に、磁気カードに誤って手が触れ、磁気カードが保持クリップから外れて脱落しやすい構造となっている。このため、カード保持体の押し出しを片手で簡単に行うことはできず、両手を使わないと押し出しにくいものであった。
【０００７】
本発明は、係る事情に鑑みてなされたものであり、磁気カードをスライド可能に収容して、磁気カードに触れることなく磁気ストライプを片手で容易に露出させることができ、また、磁気カードが収納位置にある場合やカードホルダーをぶら下げて用いる場合でも、磁気カードが何らかの拍子で脱落することを回避することが可能な磁気カードホルダーを提供することを主たる課題としている。
【課題を解決するための手段】
【０００８】
上記課題を達成するために、本発明に係る磁気カードホルダーは、磁気ストライプを有する磁気カードを収容保持するホルダーであって、前記磁気カードを磁気ストライプを除いた箇所で保持すると共に、前記磁気ストライプを露出させた状態で収容する内側ホルダと、前記磁気ストライプを被覆・露出させるために前記内側ホルダをスライド可能に収容する外側ホルダとを有し、前記内側ホルダは、その表面に形成されたスライド用突起部を前記外側ホルダに形成された長孔に摺動可能に収容させることで、前記外側ホルダにスライド可能に係合されており、  前記内側ホルダ及び前記外側ホルダに前記磁気カードの脱落を防止する脱落防止機構を具備することを特徴としている。
【０００９】
したがって、磁気カードは、収納位置において、磁気ストライプが外側ホルダに被覆されて保護された状態となり、また、磁気ストライプを除いた箇所が内側ホルダに収容された状態であるため、磁気ストライプを傷つけることがなく、また、磁気カードに誤って手が触れることもなくなる。また、磁気ストライプを使用したい場合には、外側ホルダの長孔に収容されたスライド用突起部を指で押し動かして内側ホルダをスライドさせることで、磁気カードを押し出すことができるので、片手で押し出し操作を容易に行うことが可能となる。さらに、内側ホルダと外側ホルダには、脱落防止機構が設けられているので、カードホルダーをぶら下げて用いる場合においても、磁気カードが何らかの拍子で脱落することがなくなる。
【００１０】
ここで、内側ホルダに設けられる脱落防止機構は、挿入された磁気カードの表面を略垂直方向に押圧する押圧片を複数設けて構成するようにしても、磁気カードを挿入する空間の厚みを部分的に狭めて内側ホルダの対峙する内壁面で磁気カードを部分的に挟持する構成としてもよい。また、その両方の構成を兼ね備えるとより効果的に脱落防止が図れる。
【００１１】
尚、複数の押圧片機構を設ける場合においては、内側ホルダの略中央にスライド用突起部を突設し、前記押圧片を、スライド用突起部の両側にそれぞれ複数設けるようにするとよい。
【００１２】
また、外側ホルダに設けられる脱落防止機構は、前記磁気カードが出入りする開口部に、前記磁気カードの進退によって開閉するシャッタを設けて構成してもよい。
【発明の効果】
【００１３】
以上述べたように、本発明によれば、磁気カードホルダーを磁気カードを収容する内側ホルダとこの内側ホルダをスライド可能に収容する外側ホルダとによって構成し、内側ホルダによって、磁気カードを磁気ストライプを除いた箇所で保持すると共に磁気ストライプを露出させた状態で収容し、この内側ホルダを、その表面に形成されたスライド用突起部を外側ホルダに形成された長孔に摺動可能に収容することで外側ホルダにスライド可能に係合させ、さらに、内側ホルダと外側ホルダとに磁気カードの脱落を防止する脱落防止機構を設けるようにしたので、磁気カードに触れることなく片手の操作で磁気ストライプを容易に露出させることができ、また、カードホルダーをぶら下げて用いる場合でも、磁気カードが何らかの拍子で脱落することを回避することが可能となる。
【図面の簡単な説明】
【００１４】
【図１】図１は、本発明に係る磁気カードホルダーの外観を示す図であり、（ａ）は磁気カードを収納した状態を示す図、（ｂ）は磁気カードの磁気ストライプを露出させた状態を示す図である。
【図２】図２は、本発明に係る磁気カードホルダーを構成する各構成部品を示す図であり、（ａ)は、磁気カード、内側ホルダ、外側ホルダを別々にした状態を示す図であり、（ｂ）は、外側ホルダに内側ホルダを収容した状態と磁気カードとを別々に示した図であり、（ｃ）は、外側ホルダに収容された内側ホルダに磁気カードを挿着した状態を示す図である。
【図３】図３は、本発明に係る磁気カードホルダーの内側ホルダを示す図であり、（ａ）は、図２（ａ）のＡ−Ａ線で切断した断面図であり、（ｂ）は、図２（ａ）のＢ−Ｂ線から見た図である。
【図４】図４は、本発明に係る磁気カードホルダーの外側ホルダを示す図であり、図２（ａ）のＣ−Ｃ線で切断した断面図である。
【図５】図５は、磁気カードホルダーに装着された磁気カードが収納位置にある状態を説明する図であり、（ａ）はその平面図、（ｂ）はその側断面図である。
【図６】図６は、磁気カードホルダーに装着された磁気カードが使用位置にある状態を説明する図であり、（ａ）はその平面図、（ｂ）はその側断面図である。
【図７】図７は、磁気カードホルダの外側ホルダに設けられるシャッタの他の構成例を示す図であり、（ａ）は磁気カードが収納位置にある状態を示す図、（ｂ）は、磁気カードが使用位置にある状態を示す図である。
【発明を実施するための形態】
【００１５】
以下、本発明に係る磁気カードホルダーの実施形態を図面を参照しながら説明する。
【００１６】
図１及び図２において、磁気カードホルダー１は、磁気カード２を装着する内側ホルダ３と、この内側ホルダ３をスライド可能に収容する外側ホルダ４とを有して構成されている。
【００１７】
内側ホルダ３は、硬質の合成樹脂などによって構成されているもので、図３にも示されるように、長辺をなす一側面が開口された中空の扁平直方体形状に形成され、内部にカード挿入空間５が形成されている。内部に形成されるカード挿入空間５は、開口部分の長手方向の幅が磁気カード２の長辺の幅よりも大きく設定され、開口部分の短手方向の幅が磁気カード２の厚みよりも大きく設定されている。また、カード挿入空間５の奥行きは、磁気カード２の磁気ストライプ２ａが形成されていない長辺から磁気ストライプ２ａが形成されている部位までの距離よりも短い寸法に設定されている。
【００１８】
内側ホルダ３の片側の表面には、略中央部分にスライド用突起部６が突出形成され、このスライド用突起部６の両側には、磁気カード２の脱落を防止する押圧片７が設けられている。
この例において、スライド用突起部６は、円柱形状に形成され、その高さは、後述する外側ホルダ４の対峙する壁面に形成された長孔１０に挿入する高さに形成され、その表面には、指先で触れた場合に指先が滑りにくいように、凹凸、波型等の粗面処理が施されている。
【００１９】
また、押圧片７は、図２（ａ）、図３（ａ）に示されるように、内側ホルダ３の表面に一辺を残してコ字状に切り込みを入れ、基端部を内側ホルダ３と一体化させた状態で内側に折り曲げられているので、その先端部にゴム又はシリコン樹脂等で構成された弾性部材７ａを固着させて構成されている。したがって、押圧片７は、カード挿入空間５に挿入された磁気カード２を、その表面に対して略垂直方向に押圧することで保持するようにしている。
【００２０】
この押圧片７は、スライド用突起部６の両側にぞれぞれ複数設けられており、この例では、スライド用突起部６の両側において磁気カード２の挿入方向に２箇所づつ形成されている。また、押圧片７は、その基端部を内側ホルダの開口端側に設け、先端部分を基端部よりも開口端から遠ざかる位置に配置し、磁気カード２の挿入が押圧片７に引っかかることなく、スムーズに行えるようにしている。
【００２１】
また、内側ホルダ３の押圧片７が形成された壁面は、図３（ｂ）に示されるように、中央付近がカード挿入空間５の厚みを狭めるように湾曲されており、この湾曲部３ａの内面を磁気カード２の表面に密着させて垂直方向に押圧することで、磁気カード２を内側ホルダの対峙する内壁面で部分的に挟持するようにしている。
【００２２】
したがって、内側ホルダ３の壁部に形成された押圧片７と湾曲部３ａとにより、磁気カード２の脱落を防止する脱落防止機構が構成されており、磁気カード２は、磁気ストライプ２ａを露出させた状態で内側ホルダ３に収容され、磁気ストライプ２ａを除いた箇所が押圧片７によって４点で保持されると共に、内側ホルダ３の壁部（湾曲部３ａ）によっても保持された状態となる。
【００２３】
これに対して、外側ホルダ４は、硬質の合成樹脂などによって構成されているもので、図４にも示されているように、長辺をなす一側面が開口された中空の扁平直方体形状に形成され、内部に内側ホルダ３を収容する収容空間９が形成されている。内部に形成される収容空間９は、開口部分の長手方向の幅が内側ホルダ３の長辺の幅よりも僅かに大きく設定され、また、開口部分の短手方向の幅が内側ホルダ３の厚みよりも僅かに大きく設定されており、この例では、内側ホルダ３が、外側ホルダ４に対して軽く圧入された状態で収容され、スライド用突起部６を操作しない限りスライドしないようになっている。
また、収容空間９の奥行きは、内側ホルダ３に磁気カード２を装着した状態で、内側ホルダ３を収納位置までスライドさせた場合に磁気カード２の先端が外側ホルダ４内に収容される大きさに設定されている。
【００２４】
外側ホルダ４の片側の壁面には、略中央部分に内側ホルダ３に形成されたスライド用突起部６が摺接可能に収容される長孔１０が形成され、また、外側ホルダ４の開口端と反対側の長辺をなす側面中央付近には、ストラップ挿通穴１１が形成されている。さらに、外側ホルダ４の開口端部には、収容空間９の内側から付勢力が付勢されると開放されるシャッタ１２が設けられている。
【００２５】
外側ホルダ４の壁面に形成される長孔１０は、内側ホルダ３のスライド方向に長径を一致させて形成されているもので、内側ホルダ３の可動範囲（磁気カード２の磁気ストライプ２ａが形成されている部分を外側ホルダ４で被覆するよう内側ホルダ３を十分に引き込ませたカード収納位置から、磁気カード２の磁気ストライプ２ａを使用可能に露出させたカード使用位置まで）を網羅する長さに形成されている。したがって、内側ホルダ３と外側ホルダ４とは、スライド用突起部６とこれを収容する長孔１０とにより係合状態が形成され、スライド用突起部６を長孔１０内で進退させることにより、内側ホルダ３に装着されている磁気カード２の磁気ストライプ２ａを被覆・露出させるようにしている。
【００２６】
また、この例において、外側ホルダ４の開口端部に設けられているシャッタ１２は、例えば、開口部の長手方向に沿って設けられた回転軸１２ａを外側ホルダ４の短辺をなす側面の開口端近傍の隅部に支持させた片持ち型のダンパで構成され、回転軸１２ａに設けられた図示しないスプリングにより、開口部を閉鎖する方向へ常時付勢するようにしている。
【００２７】
以上の構成において、本発明に係る磁気カードホルダー１を利用する場合には、予め外側ホルダ４に内側ホルダ３をスライド可能に装着しておき（図２（ｂ）で示す状態）、この状態でシャッタ１２を開いて、磁気カード２を磁気ストライプ２ａが形成されていない長辺から内側ホルダ３のカード挿入空間５に差し入れ、挿入端が底部に当接するまで挿入する（図２（ｃ）で示す状態）。
これにより、磁気カード２は、磁気ストライプ２ａを除いた箇所の中央部分が内側ホルダ３の湾曲部３ａで押圧されると共に、その両側が押圧片７によって押圧されるので、磁気カード２のしっかりした保持状態を形成することが可能となる。尚、内側ホルダ３は、湾曲部３ａを形成したことによって開口部が狭められているが、開口部の両側は、図３（ｂ）に示されるように、磁気カードを差し入れる隙間が十分に形成されているので、磁気カード２の挿入に支障はない。
【００２８】
このように内側ホルダ３に磁気カード２を取り付けた状態において、スライド用突起部６をストラップ挿通穴１１が形成されている側（外側ホルダ４の開口部と反対側）に向けて指先で押し動かし、内側ホルダ３を収納位置へ移動させると、図５に示されるように、磁気カード２の全体が外側ホルダ４に被覆された状態となり、外側ホルダ４の開口部がシャッタ１２で閉塞される。
このため、磁気カード２は、その磁気ストライプ２ａが外側ホルダ４で保護されると共に、内側ホルダ３に設けられた押圧片７や湾曲部３ａによりしっかり保持されることとなり、カードホルダー１をぶら下げて用いる場合でも、磁気カード２が何らかの拍子で脱落することを回避でき、仮に、内側ホルダ３による保持力が何らかの原因で小さくなった場合でも、外側ホルダ４に設けられたシャッタ１２に所定圧以上の付勢力を掛けない以上、シャッタ１２が開いて磁気カード２が脱落することがないので、このシャッタ１２によっても磁気カード２の脱落を回避することが可能となる。
【００２９】
そして、このような磁気カード２が収納位置にある状態から磁気カード２の使用位置へ移行させるには、スライド用突起部６を外側ホルダ４の開口端側（ストラップ挿通穴１１と反対側）に向けて指先で押し動かし、内側ホルダ３をスライド用突起部６が長孔１０の終端に突き当たるまで移動させる。すると、図６に示されるように、磁気カード２の磁気ストライプ２ａが設けられている側の長辺によってシャッタ１２が押し開かれ、磁気ストライプ２ａが外側ホルダ４から露出された状態となる。そして、この状態で、磁気ストライプ２ａをカード読み取り装置の読み取り部に挿入し、磁気カードホルダー１ごとカード読み取り装置の読み取り部に沿って移動させ、磁気ストライプ２ａに記録されている情報を読み取り部に読み取らせる。
【００３０】
その後、磁気ストライプ２ａの読み取りが終了した時点で、再びスライド用突起部６をストラップ挿通穴１１に向けて指先で押し動かすことで、図５に示される収納位置へ戻される。
【００３１】
したがって、上述の構成においては、磁気カード２に触れることなく片手の操作で磁気ストライプ２ａを容易に露出させることができ、また、カードホルダー１をぶら下げて用いる場合においても、磁気カード２が何らかの拍子で脱落することを回避することが可能となる。
【００３２】
尚、上述したカードホルダー１にあっては、内側ホルダ３を外側ホルダ４に軽く圧入することによって生じる摩擦力を利用して、内側ホルダ３を収容位置に保持する保持力を確保するようにしているが、内側ホルダ３が収容位置に戻されるように外側ホルダ４との間にスプリングを介在させ、内側ホルダを収納位置に向かって常時付勢するようにしてもよい。
【００３３】
また、上述した例では、押圧片７や湾曲部３ａは、スライド用突起部６と同じ壁面に形成されているが、スライド用突起部６が形成された壁面と反対側の壁面に形成するようにしてもよい。さらに、上述した例では、カード挿入空間５の厚みを部分的に狭めて内側ホルダ３の対峙する内壁面で磁気カード２を部分的に挟持する構成として、内側ホルダ３の壁面に湾曲部３ａを形成しているが、内側ホルダ３の壁面の厚みを中間部分ほど厚くすることで同様の作用を得るようにしてもよい。
【００３４】
さらに、上述した構成においては、外側ホルダ４の開口端部に設けられるシャッタ１２を、外側ホルダ４の開口部の長辺に沿って回転軸を支持する一枚のダンパによって構成するようにしたが、複数枚のダンパを用いて構成するようにしても、また、開口部の短辺に沿って回転軸を支持するようにしてもよい。例えば、図７に示されるように、開口部の両端部に短辺に沿って軸支された対をなす片持ち形のダンパを設け、このダンパを回転軸１２ａに設けられた図示しないスプリングにより、開口部を閉鎖する方向へ常時付勢するようにしてもよい。
【符号の説明】
【００３５】
１  磁気カートホルダー
２  磁気カード
２ａ  磁気ストライプ
３  内側ホルダ
４  外側ホルダ
６  スライド用突起部
７  押圧片
３ｂ  湾曲部
１０  長孔
１２  シャッタ
【図１】
2011125538.tif 000003
【図２】
2011125538.tif 000004
【図３】
2011125538.tif 000005
【図４】
2011125538.tif 000006
【図５】
2011125538.tif 000007
【図６】
2011125538.tif 000008
【図７】
2011125538.tif 000009